(57)【要約】      （修正有）【課題】コストアップを伴うことなく、適切な冷却を可能とする表示装置を提供する。【解決手段】表示装置１０は、表示パネルに光を照射するバックライト２と、温度を検出する検出部４と、冷却を行うファン３と、ＡＣ／ＤＣ１２と、ＡＣ／ＤＣ１２よりも高出力であって、バックライト２に対して電流を供給するＡＣ／ＤＣ１４を備える。検出部４により検出された温度が所定温度よりも小さい場合、ファン３はＡＣ／ＤＣ１２からの電流のみを用いて駆動する。検出部４により検出された温度が所定温度よりも大きい場合、ファン３はＡＣ／ＤＣ１２及び１４からの電流を用いて駆動する。【選択図】図１
2014153446.tif 000002
【特許請求の範囲】
【請求項１】
表示パネルに光を照射する光源と、
温度を検出する検出部と、
冷却を行うファンと、
第１電源回路と、
第１電源回路よりも高出力であって、光源に対して電流を供給する第２電源回路を備え、
検出部により検出された温度が所定温度よりも小さい場合、ファンは第１電源回路からの電流のみを用いて駆動し、
検出部により検出された温度が所定温度よりも大きい場合、ファンは第１及び第２電源回路からの電流を用いて駆動する、
ことを特徴とする表示装置。
【請求項２】
前記第１、第２電源回路は、供給できる電流量に上限を有する、ＡＣ／ＤＣコンバータであることを特徴とする、請求項１に記載の表示装置。
【請求項３】
前記光源がＣＣＦＬによるものであることを特徴とする、請求項１又は２に記載の表示装置。
【発明の詳細な説明】
【技術分野】
【０００１】
本発明は、液晶ディスプレイ等の表示装置に関し、特に屋外等に配置され、冷却機能を備えた表示装置に関する。
【背景技術】
【０００２】
近年、屋内及び屋外で使用される、デジタルサイネージ用の表示装置が普及している。これらの表示装置には、装置内を冷却するためのファンを内蔵しているものが多い（例えば、特許文献１）。
【先行技術文献】
【特許文献】
【０００３】
【特許文献１】特開２０１１−１２８４３２号公報
【特許文献２】特開２００６−１４７３７３号公報
【特許文献３】特開２００９−２８２１８７号公報
【発明の概要】
【発明が解決しようとする課題】
【０００４】
直射日光があたる等の理由により、屋内と比較して、屋外の方が高温になる場合が多い。従い、屋外向けの表示装置では、高出力のファンが使用される。これに伴い、屋外向けの表示装置では、高出力の電源回路を具備する必要があるが、コストアップを伴うという問題がある。
【課題を解決するための手段】
【０００５】
本発明の表示装置は、表示パネルに光を照射する光源と、温度を検出する検出部と、冷却を行うファンと、第１電源回路と、第１電源回路よりも高出力であって、光源に対して電源を供給する第２電源回路を備え、検出部により検出された温度が所定温度よりも小さい場合、ファンは第１電源回路からの電源のみを用いて駆動し、検出部により検出された温度が所定温度よりも大きい場合、ファンは第１及び第２電源回路からの電源を用いて駆動することを特徴とする。
【発明の効果】
【０００６】
本発明によれば、コストアップを伴うことなく、表示装置の適切な冷却が可能となる。
【図面の簡単な説明】
【０００７】
【図１】表示装置１０の簡易ブロック図である。
【発明を実施するための形態】
【０００８】
以下、本発明の実施例である表示装置について、図面を参照して説明する。
【０００９】
図１は、表示装置１０の構成を示すブロック図である。本図では、特に本願発明に関連する部分のみに着目して示している。表示装置１０は、電源回路１と、（図示しない）表示パネルに光を照射するバックライト２と、表示装置１０内の冷却を行うためのファン３と、温度検出部４と、判断部５と、メイン回路２１を有する。
【００１０】
本実施形態では、上記の表示パネルとは、液晶パネルである。バックライト２は、ＣＣＦＬ（冷陰極蛍光ランプ）である。
【００１１】
ファン３は、複数のファンから構成され、特に表示パネルを冷却する目的で送風を行う。ファン３の配置については、本発明では特に限定はしないが、一例としては、本願の出願人により出願された上記特許文献１（同文献の図１、図２）に記すような配置が想定される。即ち、液晶パネルと前面保護ガラスの間の空間に送風を行うために、液晶パネル裏面側の左辺又は右辺側に配置することが考えられる。なお、特許文献１の例は、ディスプレイの画面の水平方向の長さが垂直方向の長さよりも長い、いわゆる横置きの事例であるが、本発明は縦置きのディスプレイに対しても適用可能である。むしろ、縦置きの場合、左右の側面の長さが横置きの場合よりも長くなるので、その分、多数のファンを配置する必要があり、本発明はむしろ縦置きのディスプレイにおいてより有効であるとも考えられる。
【００１２】
メイン回路２１は、通常のテレビジョン装置に見られるような、ＤＥＭＵＸ（多重化された映像信号と音声信号を分離するもの）や、映像／音声デコーダ、ＣＰＵなどを搭載している。温度検出部４は、表示装置１０内の温度を検出する温度計である。判断部５は、温度検出部４により検出された温度が所定温度より高いか低いかを判定する。なお、判断部５は、メイン回路２１内に搭載されるものであっても良い。
【００１３】
電源回路１は、バックライト２、ファン３、メイン回路２１、或いは表示パネル等に直流電源を供給するものである。電源回路１には、商用電源である交流電力が入力され、これを直流に変換し、かつ、バックライト２、ファン３、メイン回路２１のそれぞれに適した直流電圧を生成する。
【００１４】
電源回路１は、ＡＣ／ＤＣコンバータ１１と、ＡＣ／ＤＣコンバータ１２と、ＤＣ／ＤＣコンバータ１３と、ＡＣ／ＤＣコンバータ１４と、ＤＣ／ＤＣコンバータ１５を備える。ＡＣ／ＤＣコンバータ１１は、商用電源である交流電力を５Ｖの直流電圧に変換する。変換された直流電流は、メイン回路２１へ供給される。ＡＣ／ＤＣコンバータ１２は、上記の商用電源（交流電力）を１６Ｖの直流電圧に変換する。変換された直流電流は、ＤＣ／ＤＣコンバータ１３で直流の１２Ｖに落とした後、ファン３へ供給される。ＡＣ／ＤＣコンバータ１４は、上記の商用電源（交流電力）を２４Ｖの直流電圧に変換する。変換された直流電流は、バックライト２及びＤＣ／ＤＣコンバータ１５へ供給される。ＤＣ／ＤＣコンバータ１５は、ＡＣ／ＤＣコンバータ１４で得られた２４Ｖの直流電圧を１２Ｖの直流電圧に変換する。変換された１２Ｖの直流電圧は、ファン３へ供給される。尚、上記の各ＡＣ／ＤＣコンバータから出力できる電流量には上限がある。
【００１５】
なお、ＤＣ／ＤＣコンバータ１５は、判断部５の判断結果に基づき、ＯＮ／ＯＦＦ制御される。即ち、温度検出部４により検出された温度が所定温度より低いときは、ＤＣ／ＤＣコンバータ１５はオフに制御される。つまり、ＤＣ／ＤＣコンバータ１５で生成された直流１２Ｖの電流がファン３に入力されることは無く、ＡＣ／ＤＣコンバータ１２が持つ電源容量のみに基づいてファン３が駆動される。
【００１６】
一方、温度検出部４により検出された温度が所定温度より高いときは、ＤＣ／ＤＣコンバータ１５はオンに制御され、ＤＣ／ＤＣコンバータ１５で生成された直流１２Ｖの電流はファン３に入力される。即ち、温度が所定温度より高いときは、強い冷却を必要とするので、ファン３は、ＡＣ／ＤＣコンバータ１２が持つ電源容量だけでなく、ＡＣ／ＤＣコンバータ１４が持つ電源容量も利用して駆動されることとなる。  
【００１７】
なお、ファン３の冷却にＡＣ／ＤＣコンバータ１４の電源容量も用いると、バックライト２に対して十分な電流が供給できなくなるようにも思える。しかし、ＣＣＦＬ（冷陰極蛍光ランプ）の場合、温度が高くなるほど駆動に必要な電流は減少する。従って、高温時には、ＡＣ／ＤＣコンバータ１４による電源容量が余ることとなるので、この余剰電量を
利用してファン３を駆動することができる。つまり、バックライト２の輝度を落とすことなく、ファン３を強力に駆動することができる。
【００１８】
なお、上記のファン３は、ＡＣ／ＤＣコンバータ１２からの出力（１６Ｖ直流）と、ＤＣ／ＤＣコンバータ１５からの出力（１２Ｖ直流）の両方を使用することとなる。そこで、双方の電圧を揃えるべく、ＡＣ／ＤＣコンバータ１２からの出力である１６ＶをＤＣ／ＤＣコンバータ１３により直流の１２Ｖに変換してからファン３に入力している。
【００１９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【００２０】
例えば、表示装置１０の本体の電源投入直後では表示パネルが温まっていない。従って、電源投入直後はバックライト２をＯＮにして、表示パネルを暖める必要がある。この場合、仮に表示装置１０の温度が高く、ＡＣ／ＤＣコンバータ１４からの出力も用いてファン３を駆動させる必要が生じたとしても、バックライト２の出力を高くする必要上、ＡＣ／ＤＣコンバータ１４からの出力（２４Ｖの電源容量）が足りなくなる、という問題が生じる。従って、本体の電源投入直後は、ＡＣ／ＤＣコンバータ１４の出力を用いてファン３を駆動することを許可しない仕様としても良い。そして、表示パネルの温度が十分に高くなったことを確認してから、ＡＣ／ＤＣコンバータ１４の出力を用いてファン３を駆動することを許可する仕様としても良い。
【００２１】
上記例では、ＡＣ／ＤＣコンバータ１２で一端１６Ｖの直流を生成してからＤＣ／ＤＣコンバータ１３で１２Ｖに変換している。勿論、ＡＣ／ＤＣコンバータ１２を用いる代わりに、１２Ｖの直流を生成するＡＣ／ＤＣコンバータを使用し、この１２Ｖの直流をファン３に入力しても問題は無い。ただし、１６Ｖ用のＡＣ／ＤＣコンバータを使用することにより、図１で示した表示装置１０に対し、音声出力回路等の追加の回路を増設した場合でも対応が可能となる。つまり、上記表示装置１０は、屋外の公共場所で使用することを想定しており、音声出力機能を有していない。但し、拡張スロットの使用等により、後刻音声出力回路を増設した場合に、１６ＶののＡＣ／ＤＣコンバータが有用になると考えられる。
【００２２】
例えば、上記では表示装置の例として液晶ディスプレイを例に説明したが、本発明は他の表示装置にも適用可能である。
【産業上の利用可能性】
【００２３】
本発明は画像表示装置、特に液晶テレビに適用可能である。
【符号の説明】
【００２４】
１  電源回路
２  バックライト
３  ファン
４  温度検出部
５  判断部
１１  ＡＣ／ＤＣコンバータ
１２  ＡＣ／ＤＣコンバータ
１３  ＤＣ／ＤＣコンバータ
１４  ＡＣ／ＤＣコンバータ
１５  ＤＣ／ＤＣコンバータ
２１  メイン回路
【図１】
2014153446.tif 000003